(57)【要約】【課題】従来の無線電話の問題点を解消すること。【解決手段】複数のキーを隠す位置とそれらを露出する位置との間で移動するスライドカバーを備えた無線電話が提供される。複数のキーの操作の各シーケンスに応答して所定の機能が実行される。スライドの位置は、スライドにより決して隠されない少なくとも１つの他のキーに影響する。【選択図】　　　　　図３
2004007414.tif 000002
【特許請求の範囲】
【請求項１】
１組のキーと；この１組のキーをカバーする第１位置と、この１組のキーをカバーしない第２位置との間で移動可能なカバ一部分と；いずれの位置においてもカバー部分によりカバーされない更に別のキーとを備え；この更に別のキーは、カバーが第１位置にあるときに第１機能をそしてカバーが第２位置にあるときに第２機能を有することを特徴とする携帯用電話。
【請求項２】
上記第１機能は、電話をオフフック状態に入れることを含む請求項１に記載の携帯用電話。
【請求項３】
上記第２機能は、電話をオフフック状態に入れることを含まない請求項１又は２に記載の携帯用電話。
【請求項４】
上記更に別のキーの機能は、上記カバーが第１位置にあるときだけ電話をオフフック状態に入れることを含む請求項１ないし３のいずれかに記載の携帯用電話。
【請求項５】
上記更に別のキーの機能は、電話により入呼びが検出されたかどうかに基づく請求項１ないし４のいずれかに記載の携帯用電話。
【請求項６】
上記第１機能及び／又は第２機能は、音量調整を含む請求項１ないし５のいずれかに記載の携帯用電話。
【請求項７】
入呼びが指示された場合に、露出したキーを操作すると、ハンドセットがオフフック状態に入れられる請求項１ないし６のいずれかに記載の携帯用電話。
【請求項８】
上記プロセッサ手段は、キーの操作の状態及びカバー部分の位置に基づいてキーに割り当てられた動作を実行するように作用する請求項１ないし７のいずれかに記載の携帯用電話。
【請求項９】
上記カバー部分は、第１位置と第２位置との間でスライド可能である請求項１ないし８のいずれかに記載の携帯用電話。
【請求項１０】
上記カバー部分は、それが第１位置にあるときに上記１組のキーを隠す請求項１ないし９のいずれかに記載の携帯用電話。
【発明の詳細な説明】
【０００１】
【発明の属する技術分野】
本発明は、携帯電話に係り、特に、携帯無線電話に係る。
【０００２】
【従来の技術】
移動電話の分野には、特に持ち運びが容易なコンパクトな電話構成体を製造するための一般的な動きがある。しかしながら、携帯無線電話ハンドセットを使用する感覚を従来の地上回線の電話に近づけるためにユーザの耳と口との間のギャップを電話で橋絡しなければならないという相反する主として心理学的な要求がある。
【０００３】
これを達成する１つの方法は、電話の主本体にヒンジ式フラップを取り付け、電話をしまうときは主本体に重畳する位置に枢着回転するが、電話の使用時には電話の全長に延びるようにすることである。このような電話の一例が米国特許第４，８４５，７７２号に見られる。
【０００４】
【発明が解決しようとする課題】
しかしながら、このような電話は、比較的壊れ易く、特にフラップを開いたときにダメージを受け易い。というのは、このようなときには、偶発的にぶつかったり又は他の荒々しい取り扱いを受けたりするからである。又、ヒンジ式のフラップは、マイクロホンからヒンジを横切って電話の主本体へ至る確実な導電路を形成する上で問題がある。
【０００５】
ヒンジ式フラップに本来ある欠点の幾つかを克服する別の構成体がＥＰ０，４１４，３６５号に開示されている。この特許に開示されたコンパクトな電話即ちハンドセットは、主本体と、この主本体に対して長手方向にスライド移動するように構成されたカバー部分とを備えている。引つ込められた位置において、電話はコンパクトで保管し易いものとなる。延びた位置では、電話は、ユーザの耳と口の間のギャップを快適に結ぶ寸法となる。この設計は、コンパクトであり且つ比較的頑丈なものである。
【０００６】
上記ＥＰ０，４１４，３６５号に開示されたハンドセットでは、コール応答／送信モードを可能にする接続が、カバー部分がその完全に延びた位置にあるときしか形成されない。従って、ハンドセットは、カバーがその完全に延びた位置にあるときにコールを発したり受けたりするようにしか使用できない。
【０００７】
本発明の目的は、前述したような従来技術の問題点を解消しうるような無線ハッドセットを提供することである。
【０００８】
【課題を解決するための手段】
本発明によれば、１組のキーと；この１組のキーをカバーする第１位置と、この１組のキーをカバーしない第２位置との間で移動可能なカバー部分と；いずれの位置においてもカバー部分によりカバーされない更に別のキーとを備え；この更に別のキーは、カバーが第１位置にあるときに第１機能をそしてカバーが第２位置にあるときに第２機能を有するような携帯用電話が提供される。
【０００９】
上記第１機能と第２機能は異なるものであるのが適当である。両方の機能は、好ましくは電話の状態及び／又は構成に基づいて、電話に１つ以上の動作を実行させることを含むのが好ましい。第１及び第２機能の好ましくは少なくとも一方そして最も好ましくはその両方は、互いに他の機能の一部分ではない少なくとも１つの動作を電話に実行させることを含む。
【００１０】
第１の機能は、好ましくは、電話をオフフック状態に入れて、電話により検出された入呼びに適当に応答させることを含む。第１の機能は、入呼びが検出される周期中にのみ電話をオフフック状態に入れるのが好ましい。又、第１機能は、音量制御、特にリンギング装置の音量制御を含み、これは、入呼びが検出されない間にのみ行うのが好ましい。
【００１１】
第２の機能は、好ましくは、電話をオフフック状態に入れることを含まず、少なくとも、１組のキーのオフフックキーが露出される間はそのようにしないのが適している。第２の機能は、音量制御、特にリンギング装置の音量制御を含む。第１機能及び第２機能は、異なる動作に関連するのが好ましい。
【００１２】
更に別のキーの機能は、カバーの位置に依存するのが適当であり、そして入呼びが検出されたかどうかといった電話の構成及び／又は状態の他の観点にも依存するのが好ましい。これは、更に別のキーの操作及び電話の構成及び／又は状態の観点（ユーザ設定、カバーの位置及び／又は入呼びが検出されたかどうか）に応答しそしてそれに応じて電話を動作及び／又は制御するようプログラムされたプロセッサを有する電話によって達成されるのが適当である。
【００１３】
カバー部分は、第１位置と第２位置との間でスライドできるのが好ましい。カバー部分は、カバーが第１位置にあるときに１組のキーへのアクセスを防止することのできる壁をもつカバーである。カバー部分は、延長可能な部分であってもよい。各「キー」は、ユーザが操作できるキー型の入力手段、好ましくはユーザの指で操作できるタッチ、圧力又は接触感知式の入力手段である。
【００１４】
プロセッサ手段は、カバーの各位置に対し露出されたキーの操作のシーケンスに対応する所定の動作を実行するよう動作できるのが好ましい。露出したキーを用いて、カバーの各位置においてマイクロプロセッサの動作を制御できるようにすることにより、特定の動作を実行できる前に何ら問題なくカバーを特定の位置に適切に配置するよう確保できる。当該キーが露出されれば、動作を実行することができる。これは、ハンドセットの操作を簡単化することを目的とする。カバーは、第１位置と第２位置の中間の任意の位置を占有できるのが好ましい。カバーは、更に別のキーを決してカバーしないのが好ましい。
【００１５】
主本体は第１トランスジューサを含み、そしてカバーは第２トランスジューサを含むのが好ましく、これら第１及び第２のトランスジューサは、カバーが第１及び第２の位置並びにその中間の位置にあるときに動作される。第１トランスジューサは、通常、スピーカ又はイヤホンであり、そして第２トランスジューサはマイクロホンである。
【００１６】
第１位置からカバーを移動してコールに応答するのが好ましい。第１位置へカバーを移動してコールを終了させるのが好ましい。これは、コールに応答しそしてコールを終了させるためのキー操作以外の選択肢をユーザに与える。
【００１７】
第１位置、第２位置及び少なくとも１つの中間位置においてハンドセットをオフフック状態に入れられるようにすることにより、コールの応答がカバーの位置によって不当に制約されない。これも、ハンドセットの動作を簡単化する。
【００１８】
【発明の実施の形態】
次に、添付図面を参照し、本発明を一例として説明する。
【００１９】
図１ないし１２に示す本発明の実施形態による携帯用電話ハンドセットは、無線電話の電子回路の実質的に全体を包囲する主本体２と、この主本体２にスライド可能に取り付けられたスリーブ部分３とを有するハウジング１を備えている。ハンドセットは、アンテナ５と、トランシーバ６と、ベースステーションとの通信チャンネルを選択するように動作するアルゴリズムでプログラムされた処理手段７とを有する（図２）。情報は、液晶ディスプレイ（ＬＣＤ）パネル８に表示される。
【００２０】
ハウジング１には、１組のキーが含まれる。通常そうであるように、３行及び４列のアレーに配列された０−９、＊及び＃と示されたキー又はボタンの第１グループ１０と、これも又通常そうであるように、メモリ記憶及び呼び出し、最後の番号のリダイヤル、コール開始（例えば、ＳＥＮＤと示された）等々の種々の所定の動作を選択するための制御キー又はボタンの第２グループ１１とがある。
【００２１】
「キー」とは、好ましくはキーに接触し及び／又はキーを押圧し及び／又はキーにタッチすることにより、マイクロプロセッサへの入力、好ましくはユーザからの入力を与えるためのキー又はボタン又は素子である。ディスプレイパネルであるＬＣＤ８は、ハウジングにおいて２つのキーグループの上に配置されている。
【００２２】
ディスプレイの上には一連の穴１２があり、その後方には、無線ハンドセットのユーザにスピーチ又は他の音声を伝達するためのイヤホン又はスピーカ１３がある。スリーブは、その下端に一連の穴１４を有し、その後方には、マイクロホン１５が取り付けられている（図２）。
【００２３】
スリーブ部分３は、図１に示す閉じた位置と、図３に示す完全に開いた位置との間で主本体に対してスライドするように構成される。ハウジングの主本体は、カーブしており、そしてスリーブ状部分は、イヤホン１３及びマウスピース１５をユーザの耳及び口に各々隣接配置するに充分な曲率を与える。本発明のこの特定の実施形態のスライド部分に対して選択される材料は、使用中に満足な滑り感覚を与えるためにテフロンが添加されたポリカーボネートである。
【００２４】
閉じた位置では、両キーグループ１０、１１が隠され（図１）、即ち使用することのできる唯一のキーは、ハンドセットの側部に配置された多目的キー１６だけである。完全に開いた位置（図３）では、両キーグループ１０、１１が露出され、数字キー及び制御キーの両方を選択することができる。スリーブが部分的に開けられた第３のスリーブ位置が図４に示されており、第２のキーグループ１１のみを示している。この位置では、制御キーは依然選択できるが、数字キーは、それらが隠されるために選択できない。制御キーを用いてコールを発することができ、即ちメモリからのコールを発することができ、そしてコールを受けることができる。この実施形態では、キーとユーザとの間に介在するスリーブ部分の壁でキーが物理的に隠され、この壁は、キーが使用されるのを防止する。他の実施形態（図示せず）では、単にバリアが介在するだけで、これは、キーを隠すものではなくて、少なくとも指がキーに到達するのを防止するに充分な程度にキーをカバーし、キーが使用されるのを防止する。例えば、バリアは、小さな穴を有することができる。
【００２５】
図４の中間位置では、更に、電話を片手で操作できる。スリーブは、ユーザの親指の力で中間位置にスライドできるのが理想的である。次いで、制御キーを操作して、コールを発したり、ハンドセットの動作モードをセットしたりすることができる。
【００２６】
マイクロプロセッサ７は常時機能するが、第１グループの数字キー１０が隠されたときには、それらを物理的に操作して電話コールを発することができない。
【００２７】
スリーブが完全に閉じたときに、操作できる唯一のキーは、電話の側部に配置されてスリーブ３の全ての位置に対して露出する第３のキーグループを形成する多目的キー１６である。ハンドセットは、主本体に対するスリーブの位置に基づいて多目的キー１６の操作に応答するようにプログラムされる。スリーブが閉じたときに、多目的キー１６を操作すると、入呼びに応答し（ハンドセットを「オフフック」にすることにより）、任意であるが、このキーの機能は、入呼びがないときに電話のボリュームを調整することを含む。スリーブが開いて、他のキーが露出する（特に応答キー１１ａ）ときは、多目的キー１６を用いて入呼びに応答することはできず（「キー応答」モードの場合以外）、即ちこれは音量キーとして働くだけとなる。ハンドセットは、スライドが閉じたときに、音量調整のために多目的キー１６を使用すると、電話のリンギング音が調整され、そしてスライドが開いたときには、このキーが電話のスピーカの音量を調整するようにプログラムすることができる。多目的キーの機能は、スライドの位置に依存する。
【００２８】
スリーブ部分３は、主本体２に対してスライド移動するように主本体に取り付けられる。主本体の各側に、実質的にその長さに沿って延びる溝２０が設けられる（図３、４、５）。スリーブ部分の下面の各側に１つづつ配置されたランナー２１（図９）は、これらの溝に保持され、それにより捕らえられる間に主本体１に対してスリーブ部分３をスライドさせることができる。
【００２９】
ここに示す実施形態では、キーのグループの構成は、特定の位置においてスリーブが各グループへのアクセスを与えるというものである。それ故、第１組のキーも第２組のキーも露出しない位置（閉じた）（図１）、第２組のキーのみを露出する位置（中間）（図４）、或いは第１及び第２の両方の組のキーを露出する位置（完全に延びた）（図３）にスリーブを配置するという優先位置があるのが望ましい。第３組のキー即ち（この実施形態では）多目的キー１６は、常時露出される。
【００３０】
３つの優先位置にスリーブを保持するために、ハンドセットの主本体には、主本体内に配置された一対の部材２２（図５、１０）が設けられ、これら部材は、ハンドセットの主本体２に配置された溝２０の各々へ１つづつ突出する。これら部材２２は、スリーブ部分を必要なときに優先位置から移動できるようにするためにスプリング負荷される。部材２２は、弾力性であり、溝２０の穴２５を経て突出する留め部２３により主本体２内のホルダ２４に取り付けられる。留め部２３は、スリーブ部分３のランナー２１の１つにより溝２０へもはや突出しないように押される。ランナーには、くぼみ２６（図９）が設けられ、このくぼみ２６が留め部２３に一致すると、スリーブ３が位置保持される。くぼみ２６は、スリーブ部分が閉じた位置、中間位置及び完全に開いた位置に「捕らえられる」ように設けられる。
【００３１】
閉じた位置及び中間位置に対応するランナー２１のくぼみ２６の２つは、カム状の縁を有し、最初の２つのスリーブ位置からスリーブをスライドさせるために特別の力が与えられると、留め部２３が溝２０の底面より下に押されて、くぼみ１６から解離し、スリーブ部分３を選択された方向にスライドし続けることができる。中間位置に対応するくぼみは、各々の方向に移動できるようにするためのカム状の先縁及び後縁を有する。閉じた位置に対応するくぼみは、容易に開放できるようにするためのカム状の先縁をのみを有する。
【００３２】
スリーブが完全に延びた位置にあるときに、スリーブを開放し続けることは望ましくない。というのは、それにより、スリーブ部分がハンドセットの主本体から外れてしまうからである。これを回避するために、第３のくぼみ２６は、更に深くなっており、スリーブ部分を完全に引き抜く方向における当接面は、カム状になっていない。これは、スリーブ部分のそれ以上の延長に対して絶対的なストッパを形成する。二次的な手段として、ハンドセットのスリーブ部分３の各側に成形プラスチックピン２７（図９）が設けられる。これらの各々は、ハンドセットの主本体２に配置された相補的な表面に当接し、スリーブ部分３の引き抜きを実質的に防止する。
【００３３】
図９、１１及び１２から明らかなように、マイクロホン１５は、フィルタ３１及び発泡プラスチック部材３２と共に小さな柔軟なＰＣＢ３０に取り付けられ、発泡プラスチック部材３２は、マイクロホンホルダ３３と共に、音響減衰器として働き、マイクロホン１５の音響特性を改善する。又、柔軟なＰＣＢ３０は、主本体のハウジング内に配置されたハンドセットの電子回路とマイクロホン１５との間の接触を維持するために２つの導電性トラック３４も含む。柔軟なＰＣＢ３０は、トラック３４に一致する穴３６をもつポリカーボネートホイル３５をこれに積層し、そしてこの部分を超音波溶接によりスライドカバーに対してスリーブ部分の下面に溶接することにより、裸のプラスチックスリーブ自体に適当に取り付けられる。マイクロホンホルダ３３においてマイクロホン１５を取り巻くマイクロホンハウジング３７が次いで取り付けられる。これにより得られる組立体３８は、点線３９で示されたガイドピンの助けによりスリーブ３の下面に取り付けられる。
【００３４】
設置の際に、２つの導電性スライドトラック３４は、実質的にスリーブ部分の一端から他端へと延び、開位置及び閉位置を含むそれらの位置間の全てのスリーブ位置に対してマイクロホン１５がハンドセットの電子回路と電気的接触を維持できるようにする。又、マイクロホンハウジング３７は、スリーブの下面に適当に超音波溶接することができ、マイクロホン及びその部品を包囲して、埃や他のダメージからの付加的な保護を与えることができる。設置の際に、マイクロホン１５は、２つのスライドトラックに接続されたスライドの下端において穴１４の後方に配置される。
【００３５】
マイクロホンコネクタ４０は、超音波溶接によりハンドセットの主本体に適当に取り付けられる（図５）。このコネクタは、接点４１又は他の機構によりハンドセットの本体のメインＰＣＢと電気的接触するように配置される。これは、スリーブの全ての位置において２つのスライドトラックと接触するよう配置され、ハンドセットのマイクロホンとメインプロセッサとの間の電気的接続を与える。
【００３６】
マイクロホンは、スライドトラックを経てメインプロセッサと常時電気的接触するので、入呼び又は出呼びに対して適当であるときにマイクロホンからの信号をメインプロセッサに使用することができる。又、スリーブ部分の移動中にも接続が維持される。それ故、ハンドセットは、主本体に対してスリーブの全ての位置で当該キーが露出される程度まで使用することができる。マイクロホンコネクタは、図６ないし８において詳細に明らかである。
【００３７】
マイクロホンコネクタ４０は、２つのスライドトラック各々に接触するように配置された２つのスプリング接点４２を備えている。スプリングクリップの支持面４３は、スライドトラックとの改良された接触を与えるために平坦化される。
【００３８】
これら接点のスプリング負荷は、マイクロホンコネクタ素子におけるスリーブ部分と主本体との間のある範囲の距離に対しマイクロホンとマイクロプロセッサとの間に良好な電気的接触を確保する。これは、製造プロセスに対して良好な裕度を与える。又、スライドの各位置に対してスリーブをマイクロホンコネクタから異なる距離に配置できるようにする。
【００３９】
信頼性のために、マイクロホンコネクタとスライドトラックとの間の電気的接続は、磨耗し難いと共に、埃や他のダメージに耐えるものであるのが望ましい。
【００４０】
この特定の実施形態では、コネクタは、２０ミクロンのパラジウムニッケルでメッキされた後に、２ミクロンの硬質の金でメッキされる。スライドトラック３４も、硬質の金でメッキすることができ、この実施形態では、寿命改善のため５ミクロンにメッキされる。
【００４１】
又、マイクロホンコネクタは、スリーブ部分の下面に配置された突起によって作動される内蔵マイクロスイッチ４４も有している。このマイクロスイッチ４４は、スリーブ部分３が閉位置にないことを指示する信号を発生する。この信号を使用して、閉位置からのスライドの移動を検出することができる。これは、スライド３の移動を用いて入呼びに応答できるようにする。
【００４２】
マイクロスイッチ４４は、主本体からスリーブカバー３に向かって突出するスプリング負荷された部材４５と、このスプリング負荷された部材に整列する接点アーム４６とを有し、スプリング負荷された部材が充分に押圧されたときに接点アームとの接触がなされる。このような接触の際に、信号がマイクロプロセッサに送られる。スリーブが閉位置にあるときにマイクロスイッチに対応する位置のスリーブ３の下面の突起４７がスリーブ部分の下面に設けられる。この突起４７は、スリーブ部分が閉位置に向かってスライドするときにスプリング負荷された素子を接点アームに接触するように次第に押圧するカム状面を有する。スイッチ４４は、スリーブが閉位置にあるときに閉じ、従って、スイッチからの信号は、スリーブが閉位置にあるかどうかの指示として使用できる。
【００４３】
マイクロスイッチからの入力をマイクロプロセッサに与えることにより、スリーブ部分の位置をマイクロプロセツサへの付加的な指示として使用できる。スリーブが閉位置から移動したときにはコールに応答することができ、及び／又はスリーブが閉じたときにはコールを終了することができる。このデータは、多機能キー１６の機能を決定するのに使用できる。
【００４４】
ハンドセットの動作モードの２つは、「キー応答」モードである。ハンドセットが第１の「キー応答」モードにありそして入呼びが指示されたときには、ハンドセットをオフフック状態に入れて、電源キー３０以外のいずれかの露出したキー（多機能キーを含む）を押すことによりコールを受け取ることができる。ハンドセットのスリーブ部分が完全に開いた状態であるときには、使用可能なキーの何れかを用いて、コールに応答することができる。第２の「キー応答」モードでは、スライドが開いている場合に、多目的キーは、コールに応答しない。
【００４５】
いずれかの「キー応答」モードにあるとき又は電話の通常の応答モードにあるときに、スリーブが開じた場合には、多目的キー１６及び電源制御キー５０の２つの露出キーが存在する。ハンドセットを閉じそしてパワーアップすることもできるし、又は閉じてパワーダウンすることもできる。ハンドセットがパワーアップされた場合には、スタンバイ状態即ちコールを受け取る状態にある。次いで、ハンドセットに対する入呼びがあることを指示するページングメッセージをハンドセットが受け取ると、音量制御キーを操作するか又はスリーブを閉位置からスライドする２つのやり方のいずれかによりコールに応答することができる。マイクロプロセッサは、マイクロスイッチからの信号を使用して、スリーブが閉位置にあることを決定する。従って、スリーブが閉位置にあるときに多目的キーから受け取った信号を使用して、入呼びを受け取ることができる。同様に、スリーブが閉じたことをマイクロスイッチが指示する状態で、スリーブを閉位置から移動すると、マイクロスイッチは、この変位をマイクロプロセッサ７に指示する。次いで、この信号は、入呼びを受け取るためのオフフック状態にハンドセットを入れるのに使用することもできる。
【００４６】
終了キーが露出された場合にはこのキーを押すか、又はスリーブを閉じることにより、コールを終了することができる。マイクロホン及びイヤホンは、スライドの全ての位置に対してマイクロプロセッサに接続され、そしてキーを連続的にポーリングして、それらが操作されたかどうか決定する。
【００４７】
本発明は、請求項に記載した発明に関するものであるかここに取り上げた問題のいずれか又は全部を軽減するものであるかに関わりなく、ここに開示する新規な特徴、又は特徴の組合せ、或いはその一般性を包含する。
【００４８】
以上の説明から、本発明の範囲内で種々の変更がなされ得ることが当業者に明らかであろう。
【図面の簡単な説明】
【図１】スライドカバーが閉じた状態で本発明による携帯用無線電話ハンドセットを示す斜視図である。
【図２】無線電話ハンドセットの概略図である。
【図３】スライドカバーを完全に開いた状態で図１の携帯用無線電話ハンドセットを示す斜視図である。
【図４】スライドカバーが中間位置にある状態で図１の携帯用無線電話ハンドセットを示す斜視図である。
【図５】図１の携帯用無線電話ハンドセットの主本体の部分斜視図で、スライドカバーを除去して、マイクロホンコネクタを示した図である。
【図６】図４のマイクロホンコネクタの斜視図である。
【図７】図４のマイクロホンコネクタを他端から見た斜視図である。
【図８】図４のマイクロホンコネクタの断面図である。
【図９】図１の携帯用無線電話ハンドセットのスライドカバーを下側から見た部分斜視図である。
【図１０】携帯用無線電話ハンドセットの主本体の部分斜視図で、スライド部分に係合するための溝を示す図である。
【図１１】図９のマイクロホンハウジングの分解図である。
【図１２】図９のスリーブ及びマイクロホンハウジングの分解図である。
【図１３】携帯用無線電話ハンドセットの動作を示すフローチャートである。
【符号の説明】
１　ハウジング
２　主本体
３　スリーブ部分
５　アンテナ
６　トランシーバ
７　マイクロプロセッサ
８　液晶ディスプレイパネル
１０　キー又はボタンの第１グループ
１１　制御キー又はボタンの第２グループ
１３　イヤホン又はスピーカ
１５　マイクロホン
１６　多機能キー
２０　溝
２１　ランナー
２２　一対の部材
２３　留め部
２４　ホルダ
２６　くぼみ
４４　マイクロスイッチ
【図１】
2004007414.tif 000003
【図２】
2004007414.tif 000004
【図３】
2004007414.tif 000005
【図４】
2004007414.tif 000006
【図５】
2004007414.tif 000007
【図６】
2004007414.tif 000008
【図７】
2004007414.tif 000009
【図８】
2004007414.tif 000010
【図９】
2004007414.tif 000011
【図１０】
2004007414.tif 000012
【図１１】
2004007414.tif 000013
【図１２】
2004007414.tif 000014
【図１３】
2004007414.tif 000015